(57)【特許請求の範囲】
【請求項１】
記録情報を記録する情報記録トラックと、当該情報記録トラックに光ビームを誘導するガイドトラックとを備え、更に前記ガイドトラック上にはプリ情報を担持するプリピットが形成された光記録媒体の前記情報トラックに対して光ビームが照射され、当該光ビームの反射光を前記情報トラックに対して少なくとも光学的に平行な分割線により２分割された受光部から出力された電気信号に基づいて生成された第１の読み取り信号と第２の読み取り信号との差分演算を行い差分信号を生成するプッシュプル回路を備え、当該プッシュプル回路から出力された差分信号に基づいて前記プリピットを検出するプリピット検出装置において、
前記プッシュプル回路は、前記第１の読み取り信号のピークホールドされた振幅と前記第２の読み取り信号のピークホールドされた振幅との差分を演算し、前記第１の読み取り信号の振幅と前記第２の読み取り信号の振幅とを、当該差分に基づいて互いに近づけて一致せしめる振幅補正手段を備え、
前記振幅補正手段は、当該差分の信号に基づいた増幅率で前記第１の読み取り信号の振幅を前記第２の読み取り信号の振幅に近づけるように補正する第１電圧制御アンプと、前記差分の信号に基づいた増幅率で前記第２の読み取り信号の振幅を前記第１の読み取り信号の振幅に近づけるように補正する第２電圧制御アンプと、を備え、
前記差分の信号は、前記第１電圧制御アンプと前記第２電圧制御アンプとで、互いに逆極性に入力されるものであり、
前記振幅補正手段により振幅が一致した前記第１の読み取り信号と前記第２の読み取り信号との差分演算を行うことを特徴とするプリピット検出装置。
【請求項２】
前記プッシュプル回路は、前記第１の読み取り信号に含まれる直流分を除く手段と、前記第２の読み取り信号に含まれる直流分を除く手段とを、備え、
前記振幅補正手段は、前記直流分が除かれた第１の読み取り信号の振幅と、前記直流分が除かれた第２の読み取り信号との振幅との差分を演算し、前記第１の読み取り信号の振幅と前記第２の読み取り信号の振幅とを、当該差分に基づいて互いに近づけて一致せしめることを特徴とする請求項１に記載のプリピット検出装置。
【請求項３】
前記振幅補正手段により演算される差分は、前記第１の読み取り信号の最大振幅と前記第２の読み取り信号との最大振幅との差分であることを特徴とする請求項１または２に記載のプリピット検出装置。
【発明の詳細な説明】
【０００１】
【発明の属する技術分野】
本発明は、高密度記録媒体、例えば、ＤＶＤ−Ｒ（DVD-Recordable）またはＤＶＤ−ＲＷ（DVD-Rerecordable）上に形成されたプリ情報としてのプリピットを検出するプリピット検出装置の技術分野に関する。
【０００２】
【従来の技術】
一般的に、記録可能型の光記録媒体には、光記録媒体上に、あらかじめアドレス情報や、記録再生動作に用いるクロック信号を生成するための基準信号が、プリピットやプリグルーブなどの形態で記録されている。例えば、ＤＶＤ−Ｒ(Digital Versatile Disc - Recordable)には、ビデオデータやオーディオデータなどの本来記録すべき情報が記録ピットとして記録される領域であるプリグルーブと共に、かかるプリグルーブ間の領域であるランド部にプリピット（以下、ランドプリピット：ＬＰＰと称する）が記録されている。
【０００３】
このＬＰＰは、プリグルーブに照射された光ビームの反射光をかかるプリグルーブの接線方向に対して少なくとも光学的に平行な分割線で２分割された受光部で受光して、該受光部から出力された電気信号に基づいて生成された第１の読み取り信号と、第２の読み取り信号との差分を演算し差分信号（以下「ラジアルプッシュプル信号」という）を生成して、ＬＰＰ信号２値化回路により、このラジアルプッシュプル信号を所定の閾値と比較して得られる２値信号（以下ＬＰＰ信号と称する）として検出される。
【０００４】
ところで、このラジアルプッシュプル信号は、プリピット検出装置内のプッシュプル回路にて生成される。図７に、従来のプリピット検出装置におけるプッシュプル回路の内部構成例を示す。同図に示すように、プッシュプル回路は、２個のＡＧＣ（Auto Gain Control）回路５０１、５０２を備えている。ＡＧＣ回路５０１は、電圧制御アンプ（ＶＣＡ）５０３と、振幅検出部５０５と、減算器５０７と、を備えており、第１の読み取り信号から得られる信号の振幅を基準電圧（ｒｅｆ）に一致させる機能を有する。より具体的には、電圧制御アンプ５０３が、減算器５０７にて生成された第１の読み取り信号の振幅と基準電圧との差分に基づいた増幅率で、第１の読み取り信号を増幅して基準電圧（ｒｅｆ）に一致させる。
【０００５】
一方、ＡＧＣ回路５０２は、電圧制御アンプ（ＶＣＡ）５０４と、振幅検出部５０６と、減算器５０８と、を備えており、第２の読み取り信号から得られる信号の振幅を、第１の読み取り信号から得られる振幅に一致させる機能を有する。具体的には、電圧制御アンプ５０４が、減算器５０８にて生成された第２の読み取り信号の振幅と第１の読み取り信号の振幅との差分に基づいた増幅率で、第２の読み取り信号を増幅して第１の読み取り信号の振幅に一致させる。
【０００６】
これにより、第１の読み取り信号と第２の読み取り信号との振幅を一致させることができるので、確実にＲＦ成分やノイズ成分を除去し、ＬＰＰ成分のみが含まれた良好なラジアルプッシュプル信号を生成することができる。
【０００７】
【発明が解決しようとする課題】
しかしながら、ＤＶＤ−Ｒなどの高密度記録媒体では、第１の読み取り信号の振幅と、第２の読み取り信号の振幅との差が大きくなる場合がある。この場合、従来のプッシュプル回路では、かかる差が電圧制御アンプの可動範囲を超えてしまうと、第１の読み取り信号と第２の読み取り信号との振幅を一致させることができず、良好なラジアルプッシュプル信号を生成することができないという問題があった。
【０００８】
従って、従来のプッシュプル回路では、かかる差を考慮して、所望の可動範囲を有する電圧制御アンプを選定しなければならなかったが、電圧制御アンプの可動範囲にはバラツキがあるため、かかる選定作業は非常に手間であるという問題があった。
【０００９】
本発明は、上記の問題に鑑みてなされたもので、その目的は、第１の読み取り信号の振幅と、第２の読み取り信号の振幅との差が電圧制御アンプの可動範囲を超えていている場合にも、良好なラジアルプッシュプル信号を生成することが可能なプリピット検出装置を提供することにある。
【００１０】
【課題を解決するための手段】
請求項１に記載の発明は、記録情報を記録する情報記録トラックと、当該情報記録トラックに光ビームを誘導するガイドトラックとを備え、更に前記ガイドトラック上にはプリ情報を担持するプリピットが形成された光記録媒体の前記情報トラックに対して光ビームが照射され、当該光ビームの反射光を前記情報トラックに対して少なくとも光学的に平行な分割線により２分割された受光部から出力された電気信号に基づいて生成された第１の読み取り信号と第２の読み取り信号との差分演算を行い差分信号を生成するプッシュプル回路を備え、当該プッシュプル回路から出力された差分信号に基づいて前記プリピットを検出するプリピット検出装置において、前記プッシュプル回路は、前記第１の読み取り信号のピークホールドされた振幅と前記第２の読み取り信号のピークホールドされた振幅との差分を演算し、前記第１の読み取り信号の振幅と前記第２の読み取り信号の振幅とを、当該差分に基づいて互いに近づけて一致せしめる振幅補正手段を備え、前記振幅補正手段は、当該差分の信号に基づいた増幅率で前記第１の読み取り信号の振幅を前記第２の読み取り信号の振幅に近づけるように補正する第１電圧制御アンプと、前記差分の信号に基づいた増幅率で前記第２の読み取り信号の振幅を前記第１の読み取り信号の振幅に近づけるように補正する第２電圧制御アンプと、を備え、前記差分の信号は、前記第１電圧制御アンプと前記第２電圧制御アンプとで、互いに逆極性に入力されるものであり、前記振幅補正手段により振幅が一致した前記第１の読み取り信号と前記第２の読み取り信号との差分演算を行うように構成する。
【００１１】
請求項１に記載の発明によれば、プリ情報を担持するプリピットが形成された光記録媒体の情報トラックに対して光ビームが照射され、当該光ビームの反射光を前記情報トラックに対して少なくとも光学的に平行な分割線により２分割された受光部から出力された電気信号に基づいて生成された第１の読み取り信号と第２の読み取り信号が、プッシュプル回路に入力される。そして、第１の読み取り信号のピークホールドされた振幅と第２の読み取り信号のピークホールドされた振幅との差分が演算され、当該差分に基づいて、第１の読み取り信号の振幅と第２の読み取り信号との振幅とが互いに近づくように一致（補正）される。そして、当該差分の信号に基づいた増幅率で第１の読み取り信号の振幅を第２の読み取り信号の振幅に近づけるように補正する第１電圧制御アンプと、当該差分の信号に基づいた増幅率で第２の読み取り信号の振幅を第１の読み取り信号の振幅に近づけるように補正する第２電圧制御アンプとを備え、当該差分の信号は、当該第１電圧制御アンプと当該第２電圧制御アンプとで、互いに逆極性に入力されるものであり、振幅が一致した第１の読み取り信号と第２の読み取り信号との差分演算がなされて差分信号が生成され、それに差分信号に基づいて前記プリピットが検出される。
【００１２】
従って、第１の読み取り信号の振幅と第２の読み取り信号の振幅の差が電圧制御アンプの可動範囲を超えたとしても、第１の読み取り信号の振幅と第２の読み取り信号の振幅とを容易に一致させることができ、従って、ノイズ成分の少ない良好な差分信号を生成することができる。
【００１３】
請求項２に記載の発明は、請求項１に記載のプリピット検出装置において、前記プッシュプル回路は、前記第１の読み取り信号に含まれる直流分を除く手段と、前記第２の読み取り信号に含まれる直流分を除く手段とを、備え、前記振幅補正手段は、前記直流分が除かれた第１の読み取り信号の振幅と、前記直流分が除かれた第２の読み取り信号との振幅との差分を演算し、前記第１の読み取り信号の振幅と前記第２の読み取り信号の振幅とを、当該差分に基づいて互いに近づけて一致せしめるように構成する。
【００１４】
請求項２に記載の発明によれば、第１の読み取り信号の振幅と第２の読み取り信号の直流分を除いた後、振幅補正手段により補正するようにしたので、より精度良く互いの振幅を一致させることができる。よって、よりノイズ成分の少ない良好な差分信号を生成することができる。
【００１５】
請求項３は、請求項１または２に記載のプリピット検出装置において、前記振幅補正手段により演算される差分は、前記第１の読み取り信号の最大振幅と前記第２の読み取り信号との最大振幅との差分であるように構成する。
【００１６】
請求項３に記載の発明によれば、第１の読み取り信号の最大振幅と第２の読み取り信号との最大振幅との差分に基づいて互いに近づけて一致せしめるので、よりノイズ成分の少ない良好な差分信号を生成することができる。
【００１７】
【発明の実施の形態】
次に本発明に好適な実施の形態について、図面に基づいて説明する。なお、以下に説明する実施の形態は、情報を記録すべき記録媒体上の位置を示すアドレス情報や、記録再生動作に用いるクロック信号を生成するための基準信号が、ＬＰＰとして形成されている記録媒体としてのＤＶＤ−Ｒから、前記プリピットを検出するプリピット検出装置についての実施形態である。
【００１８】
先ず、図１を用いて本実施形態のＤＶＤ−Ｒの物理的構造について説明する。図１は実施形態のＤＶＤ−Ｒ５０の断面斜視図である。なお、図１において、ＤＶＤ−Ｒ５０は色素膜１０５を備えた一回のみ情報の書込みが可能な色素系ＤＶＤ−Ｒ５０であり、記録情報が記録されるべき情報トラックとしてのプリグルーブ１０２と当該プリグルーブ１０２に再生光又は記録光としてのレーザビーム等の光ビームＢを誘導するためのガイドトラックとしてのランド１０３とが形成されている。また、それらを保護するための保護膜及び記録された情報を再生する際に光ビームＢを反射するための反射面１０６を備えている。そして、このランド１０３にＬＰＰ１０４が形成されている。
【００１９】
更に当該ＤＶＤ−Ｒ５０においては、プリグルーブ１０２を当該ＤＶＤ−Ｒ５０の回転速度の基準となる周波数でウォブリングさせている。そして、ＤＶＤ−Ｒ５０に記録情報（プリ情報及び同期信号以外の本来記録すべき画像情報などの情報）を記録する際には、情報記録装置にてプリグルーブ２のウォブリングの周波数を検出することにより同期信号を取得してＤＶＤ−Ｒ５０を所定の回転速度で回転制御するとともに、ＬＰＰ１０４を検出することにより予めプリ情報を取得し、記録情報を記録すべきＤＶＤ−Ｒ５０上の位置であるアドレス情報などが取得され、このアドレス情報に基づいて記録情報が対応する記録位置に記録される。
【００２０】
ここで、記録情報の記録時には、光ビームＢをその中心がプリグルーブ１０２の中心と一致するように照射してプリグルーブ１０２上に記録情報に対応する記録情報ピットを形成することにより記録情報を形成する。このとき、光スポットの大きさは、図１に示すように、その一部がプリグルーブ１０２だけでなくランド１０３にも照射されるように設定される。そして、このランド１０３に照射された光スポットの一部の反射光を用いてプッシュプル法によりＬＰＰ１０４からプリ情報を検出して当該プリ情報が取得されるとともに、プリグルーブ１０２に照射されている光スポットの反射光を用いてプリグルーブ１０２からウォブリング信号が検出されて回転制御用のクロック信号が取得される。
【００２１】
次に、当該ＤＶＤ−Ｒ５０に予め記録されているプリ情報及び回転制御情報の記録フォーマットについて図２を用いて説明する。ここで、「予め記録されている」とは、ディスクとして予め形成されていることを意味する。図２はＤＶＤ−Ｒ５０に予め記録されているプリ情報及び回転制御情報の記録フォーマットを示す模式図である。なお、図２において、上段は記録情報における記録フォーマットを示し、下段の波型波形は当該記録情報を記録するプリグルーブのウォブリング状態（プリグルーブ２の平面図）を示し、記録情報とプリグルーブ１０２のウォブリング状態の間の上向き矢印は、ＬＰＰ１０４が形成される位置を模式的に示すものである。ここで、図２においては、プリグルーブ１０２のウォブリング状態は、理解の容易のため実際の振幅よりも大きい振幅を用いて示してあり、記録情報は当該プリグルーブ１０２の中心線上に記録される。
【００２２】
図２に示すように、ＤＶＤ−Ｒ５０に記録される記録情報は、予めシンクフレーム毎に分割されている。そして、２６個のシンクフレームにより情報単位としての一つのレコーディングセクタが形成され、更に、１６個のレコーディングセクタにより情報ブロックとしての一つのＥＣＣブロックが形成される。なお、一つのシンクフレームは、上記記録情報を記録する際の記録フォーマットにより規定されるビット間隔に対応する単位長さ（以下、Ｔとする）の１４８８倍（１４８８Ｔ）の長さを有しており、更に、一つのシンクフレームの先頭の１４Ｔの長さにの部分にはシンクフレームごとの同期をとるための同期情報ＳＹが記録される。
【００２３】
一方、ＤＶＤ−Ｒ５０に記録されるプリ情報は、シンクフレームごとに記録される。ここで、ＬＰＰ１０４によるプリ情報の記録においては、記録情報におけるそれぞれのシンクフレームにおける同期情報ＳＹが記録される領域に隣接するランド１０３上にプリ情報における同期信号を示すものとして必ず一つのＬＰＰ１０４が形成されるとともに、当該同期情報ＳＹ以外の当該シンクフレーム内の前半部分に隣接するランド１０３に記録するべきプリ情報の内容（アドレス情報）を示すものとして二つ又は一つのＬＰＰ１０４が形成される（なお、同期情報ＳＹ以外の当該シンクフレーム内の前半部分については、記録すべきプリ情報の内容によっては、ＬＰＰ１０４が形成されない場合もある。）。この際、一つのレコーディングセクタにおいては、偶数番目のシンクフレーム（以下「ＥＶＥＮフレーム」という）のみ、又は奇数番目のシンクフレーム（以下「ＯＤＤフレーム」という）のみにＬＰＰ１０４が形成されてプリ情報が記録される。すなわち、図２において、ＥＶＥＮフレームにＬＰＰ１０４が形成された場合には（図２において実線上向き矢印で示す）それに隣接するＯＤＤフレームにはＬＰＰ１０４は形成されない。
【００２４】
更にプリグルーブ１０２のウォブリングとＬＰＰ１０４の関係については、当該ウォブリングにおける最大振幅の位置にＬＰＰ４が形成されている。
【００２５】
一方、プリグルーブ１０２は総てのシンクフレームに渡って１４０ｋＨｚ（一つのシンクフレームがプリグルーブ１０２の変動波形の８波分に相当する周波数）の一定ウォブリング周波数ｆ０でウォブリングされている。そして、プリピット検出装置などで、当該一定のウォブリング周波数ｆ０を検出することでＤＶＤ−Ｒ５０を回転させる図示しないスピンドルモータを回転制御するための同期信号が抽出される。
【００２６】
次に、上述した構成を有するＤＶＤ−Ｒ５０からプリピットを検出するための本発明にかかるプリピット検出装置について、図３乃至図６を用いて説明する。図３は、本実施形態のプリピット検出装置５２の概要構成を示すブロック図である。なお、本発明にかかるプリピット検出装置は、実際には、記録媒体の情報記録再生装置等に適用されるが、本実施形態においては、記録媒体の情報記録再生装置等におけるプリピット検出装置５２以外の装置構成および動作の説明は省略する。
【００２７】
図３に示すように、プリピット検出装置５２は、プッシュプル回路１と、信号２値化回路２と、デコーダ３と、ＣＰＵ４と、を含んで構成される。図３に示すように、プリピット検出装置５２のプッシュプル回路１には、ピックアップ５1からの第１の読み取り信号Ｓrf1と、第２の読み取り信号Ｓrf2が入力される。この第１の読み取り信号Ｓrf1と、第２の読み取り信号Ｓrf2は、回転駆動されたＤＶＤ−Ｒ５０の情報記録面に対して、ピックアップ５１から照射された光ビームの上記情報記録面からの反射光を、ＤＶＤ−Ｒ５０上のプリグルーブ１０２の接線方向に対して少なくとも光学的に平行な分割線で２分割された図示しない受光部で受光し、これらの受光部で受光した反射光の光量に応じた電気信号に基づいて生成される。
【００２８】
図４（Ａ）は、本発明の特徴部分であるプッシュプル回路１の内部構成を示す図である。図４（Ａ）に示すように、プッシュプル回路１は、電圧制御アンプ（ＶＣＡ）１０、１１と、ピークホールド（Ｐ／Ｈ）部１２、１３と、減算器１４、１５とを含んで構成されている。
【００２９】
このうち、電圧制御アンプ（ＶＣＡ）１０、１１と、ピークホールド（Ｐ／Ｈ）部１２、１３と、減算器１４からなるＡＧＣ回路は、前記第１の読み取り信号Ｓrf1の振幅と前記第２の読み取り信号Ｓrf2との振幅との差分を演算し、第１の読み取り信号Ｓrf1の振幅と第２の読み取り信号Ｓrf2の振幅とを、当該差分に基づいて互いに近づけて一致せしめる振幅補正手段としての機能を有する。
【００３０】
より具体的には、ピークホールド（Ｐ／Ｈ）部１２によりホールドされた第１の読み取り信号Ｓrf1の最大振幅と、ピークホールド（Ｐ／Ｈ）部１３によりホールドされた第２の読み取り信号Ｓrf2の最大振幅との差分が、減算器１４により演算され、その差分の信号が、電圧制御アンプ（ＶＣＡ）１０、１１のそれぞれに出力される。この差分の信号は、電圧制御アンプ（ＶＣＡ）１０と電圧制御アンプ（ＶＣＡ）１１とで、互いに逆極性の入力端子に入力される。
【００３１】
そして、電圧制御アンプ（ＶＣＡ）１０は、その差分の信号に基づいた増幅率で第１の読み取り信号Ｓrf1の振幅を第２の読み取り信号Ｓrf2の振幅に近づけるように補正し、第１の補正信号Ｓrfc1を生成する。一方、電圧制御アンプ（ＶＣＡ）１１は、その差分の信号に基づいた増幅率で第２の読み取り信号Ｓrf2の振幅を第１の読み取り信号Ｓrf1の振幅に近づけるように補正し、第２の補正信号Ｓrfc2を生成する。即ち、差分の信号は、電圧制御アンプ（ＶＣＡ）１０と電圧制御アンプ（ＶＣＡ）１１とで、互いに逆極性の入力端子に入力されるため、電圧制御アンプ（ＶＣＡ）１０と電圧制御アンプ（ＶＣＡ）１１とは、互いに逆に制御され、その結果、第１の補正信号Ｓrfc1の振幅と第２の補正信号Ｓrfc2との振幅が互いに近づき、一致することとなる。
【００３２】
図４（Ｂ）は、この時の第１の読み取り信号Ｓrf1、第２の読み取り信号Ｓrf2、第１の補正信号Ｓrfc1、第２の補正信号Ｓrfc2の波形の一例を示すものである。なお、図４（Ｂ）の例は、ＤＶＤ−Ｒ５０におけるプリグルーブ１０２に、記録情報を担う記録ピットが既に形成されている場合、即ち、記録済ＤＶＤ−Ｒ５０の場合の信号波形を示している。
【００３３】
図４（Ｂ）の例では、第１の読み取り信号Ｓrf1の最大振幅（Ｖs1）は、第２の読み取り信号Ｓrf2の最大振幅（Ｖs2）よりも大きくなっている。ところが、上記振幅補正手段により、第１の読み取り信号Ｓrf1は、その振幅のレベルが低下されて補正信号Ｓrfc1となり、第２の読み取り信号Ｓrf2は、その振幅のレベルが上昇されて補正信号Ｓrfc2となっている。その結果、補正信号Ｓrfc1の最大振幅電圧（Ｖsc1）と、補正信号Ｓrfc2の最大振幅電圧（Ｖsc2）が一致することとなる。
【００３４】
このように、本実施形態におけるプッシュプル回路１では、一方の信号（例えば、第２の読み取り信号Ｓrf2）の振幅を、他方の信号（例えば、第１の読み取り信号Ｓrf1）の振幅に一致させるのではなく、双方の信号の振幅を互いに近づけて一致させるので、電圧制御アンプ（ＶＣＡ）の可動範囲が仮想的に約２倍とすることができる。
【００３５】
なお、ＤＶＤ−Ｒ５０におけるプリグルーブ１０２に、記録情報を担う記録ピットが既に形成されていない場合、即ち、未記録ＤＶＤ−Ｒ５０の場合は、図４（Ｂ）の例に示すようなＲＦ成分が存在しないウォブリング周波数成分にＬＰＰが重畳された信号にて、記録済ＤＶＤ−Ｒ５０の場合と同様に、第１の読み取り信号Ｓrf1の振幅と第２の読み取り信号Ｓrf2の振幅とを一致させることができる。
【００３６】
次に、減算器１５にて、上記補正信号Ｓrfc1と補正信号Ｓrfc2との差分が演算されラジアルプッシュプル信号Ｓrppが生成されて、信号２値化回路２に出力される。このラジアルプッシュプル信号Ｓrppは、ウォブリング周波数成分（以下「ウォブル信号成分」という）にＬＰＰ信号成分が重畳された複合信号となる。
【００３７】
ここで、このＬＰＰ信号成分の振幅は、ディスク品質などの要因により変動することがある。ＬＰＰ信号成分は、ある所定のスライスレベルとの比較により、その存在の検知（２値化）が行なわれるため、ＬＰＰ信号成分の振幅に変動が起こると、実際には存在するにもかかわらず、非存在とする誤検知などが発生する。そのため、ＬＰＰ信号成分の振幅を略一定に保つようゲイン調整を行なうことが考えられる。その一手法として、ラジアルプッシュプル信号をピークホールドして、そのピーク値が一定となるようゲイン調整することが考えられる（例えば、信号２値化回路内で、この手法を行う）。即ち、ラジアルプッシュプル信号には、ウォブル信号成分にＬＰＰ信号成分が重畳されているので、ＬＰＰ信号成分をピークホールドすることになり、そのピーク値をゲイン調整することで、ＬＰＰ信号成分の振幅を一定にすることを可能としている。しかしながら、今回は、その手法よりもノイズ成分に対して誤動作が少ない信号2値化回路（図５）を構成した。
【００３８】
図５は、信号２値化回路２の内部構成を示す図である。図５に示すように、信号２値化回路２は、ゲインアンプ２０と、ウォブル振幅一定ＡＧＣ回路２１と、コンパレータ２２と、スライスレベル設定回路２３と、を含んで構成されている。
【００３９】
信号２値化回路２では、入力されたラジアルプッシュプル信号Ｓrppがゲインアンプ２０を介して、ウォブル振幅一定ＡＧＣ回路２１に入力される。ウォブル振幅一定ＡＧＣ回路２１は、ＶＣＡ２１ａと、ＬＰＰ除去用ＬＰＦ２１ｂと、ゲインアンプ２１ｃと、ピークホールド２１ｄと、減算器２１ｅと、ＬＰＦ２１ｆと、を備えている。
【００４０】
ＬＰＰ除去用ＬＰＦ２１ｂでは、入力されたラジアルプッシュプル信号Ｓrppに含まれるＬＰＰ信号成分を除去し、ウォブル信号成分を抽出する。抽出されたウォブル信号成分は、ゲインアンプ２１ｃにて増幅され、ピークホールド部２１ｄにてその最大振幅がホールドされる。そして、減算器２１ｅは、ウォブル信号成分の最大振幅と基準電圧（Ｖｒｅｆ）との差分を算出し、ＬＰＦ２１ｆを介してＶＣＡ２１ａに供給する。ＬＰＦ２１ｆは、ＡＧＣ回路２１の応答速度を調整するためのものである。ＶＣＡ２１ａは、供給された差分に基づた増幅率で、ラジアルプッシュプル信号Ｓrppを増幅して基準電圧（ｒｅｆ）に一致させる。これにより、ラジアルプッシュプル信号Ｓrppの振幅を一定に保つことができる。
【００４１】
即ち、ＤＶＤ−Ｒ５０のウォブル信号成分の振幅も、ＬＰＰ信号成分の振幅も、各々ある所定の範囲に入るように設計されているので、ウォブル信号成分の振幅を略一定に保つことで、ＬＰＰ信号成分の振幅もほぼ一定に保つことが可能となる。この関係は、他の記録媒体でも同等であり、信号２値化回路２は、他の記録媒体に対しても採用可能である。そして、上述したラジアルプッシュプル信号をピークホールドする信号２値化回路では、ＬＰＰ信号成分を基準にゲイン調整を行うことになるが、ＬＰＰの出現周期が長いことや、その出現数が少ない上変動するため、ノイズなどの外乱が発生した場合、適正な調整状態に戻るまでに時間がかかるが、本信号２値化回路２は、ＬＰＰ信号成分に比べ短周期で、かつ、決まった周期で発生するウォブル信号成分を基準にゲイン調整を行うので、外乱などが発生しても適正な調整状態への復帰が迅速に行なわれることとなる。
【００４２】
そして、コンパレータ２２は、振幅一定となったラジアルプッシュプル信号Ｓrppをスライスレベル設定回路２３から供給されるスライスレベルと比較して、コンパレートし、ＬＰＰ信号Ｓlppを抽出して図３に示すデコーダ３に出力する。
【００４３】
そして、ＬＰＰ信号Ｓlppは、デコーダ３によりデコードされ、情報を記録すべき位置を示すアドレス情報、各種タイミング信号が生成されてＣＰＵ４に出力される。こうして、ＣＰＵ４により、かかるアドレス情報、各種タイミング信号に基づき、ＤＶＤ−Ｒ５０への情報の記録に必要な制御が行なわれる。
【００４４】
以上説明したように、本実施形態によれば、プッシュプル回路１に入力された第１の読み取り信号Ｓrf1の振幅と第２の読み取り信号Ｓrf2の振幅を互いに近づけて一致させるように構成し、電圧制御アンプの可動範囲が仮想的に２倍になるようにしたので、第１の読み取り信号Ｓrf1の振幅と第２の読み取り信号Ｓrf2の振幅の差が電圧制御アンプ（ＶＣＡ）の可動範囲を超えたとしても、第１の読み取り信号Ｓrf1の振幅と第２の読み取り信号Ｓrf2の振幅とを容易に一致させることができ、従って、ノイズ成分の少ない良好なラジアルプッシュプル信号Ｓrppを生成することができる。
【００４５】
なお、図６（Ａ）に示すプッシュプル回路は、図４（Ａ）に示すものとは別の実施形態を示すものである。図６（Ａ）に示すプッシュプル回路１ａにおいて、図４（Ａ）と異なるところは、電圧制御アンプ（ＶＣＡ）１０とピークホールド（Ｐ／Ｈ）部１２の間の信号経路にコンデンサ１６を、電圧制御アンプ（ＶＣＡ）１１とピークホールド（Ｐ／Ｈ）部１３の間の信号経路にコンデンサ１７を、それぞれ挿入しているところである。コンデンサ１６は、第１の読み取り信号Ｓrf1に含まれる直流分（ＤＣ分）を除く手段としての機能を有し、コンデンサ１７は、第２の読み取り信号Ｓrf2に含まれる直流分（ＤＣ分）を除く手段としての機能を有する。
【００４６】
即ち、図６（Ａ）に示すプッシュプル回路１ａでは、コンデンサ１６、１７を挿入することで、図６（Ｂ）に示すように、第１の読み取り信号Ｓrf1および第２の読み取り信号Ｓrf2に含まれる直流分（ＤＣ分）を除き、ＲＦ成分の交流分（ＡＣ分）のみの信号とした後、これらの信号の振幅の差分を演算し、かかる演算に基づいて第１の読み取り信号Ｓrf1と第２の読み取り信号Ｓrf2との振幅を互いに近づけつつ一致させるように構成している。このような構成によれば、ＲＦ成分の純粋な振幅のみで、電圧制御アンプに出力すべき差分を演算することができるので、図４（Ａ）に示すプッシュプル回路１よりも、さらに精度良く第１の読み取り信号Ｓrf1と第２の読み取り信号Ｓrf2との振幅を一致させることができる。従って、よりノイズ成分の少ない良好なラジアルプッシュプル信号Ｓrppを生成することができる。
【００４７】
但し、未記録ＤＶＤ−Ｒ５０の場合は、ＲＦ成分が存在しないウォブル信号成分にＬＰＰが重畳された複合信号の直流分が除かれることとなるので、その振幅が非常に小さい。従って、図４（Ａ）に示すプッシュプル回路１の方が、直流分を含んだ振幅で差分を求めるので、振幅は大きく精度は良くなる。
【００４８】
しかしながら、本発明の目的は、第１の読み取り信号Ｓrf1と第２の読み取り信号Ｓrf2の振幅の差が大きく、電圧制御アンプの可動範囲を超える場合にも、第１の読み取り信号Ｓrf1と第２の読み取り信号Ｓrf2の振幅を一致させることにあり、未記録ＤＶＤ−Ｒ５０の場合には、かかる振幅の差は元々小さいので、ＬＰＰの検出に悪影響を与えることはない。
【００４９】
なお、上記実施形態においては、ＤＶＤ−Ｒを例にとって説明したが、これに限定されるものではなく、ＤＶＤ−ＲＷ等にも適用可能である。
【００５０】
【発明の効果】
以上説明したように、本発明によれば、プッシュプル回路に入力された第１の読み取り信号の振幅と第２の読み取り信号との振幅との差分に基づいて、第１の読み取り信号の振幅と第２の読み取り信号の振幅を互いに近づけて一致させるように構成したので、第１の読み取り信号の振幅と第２の読み取り信号の振幅の差が電圧制御アンプの可動範囲を超えたとしても、第１の読み取り信号の振幅と第２の読み取り信号の振幅とを容易に一致させることができ、従って、ノイズ成分の少ない良好なラジアルプッシュプル信号を生成することができる。
【図面の簡単な説明】
【図１】実施形態のＤＶＤ−Ｒ５０の断面斜視図である。
【図２】ＤＶＤ−Ｒ５０に予め記録されているプリ情報及び回転制御情報の記録フォーマットを示す模式図である。
【図３】本実施形態のプリピット検出装置５２の概要構成を示すブロック図である。
【図４】（Ａ）は、プッシュプル回路１の内部構成を示す図である。（Ａ）に示すプッシュプル回路１内の第１の読み取り信号Ｓrf1、第２の読み取り信号Ｓrf2、第１の補正信号Ｓrfc1、第２の補正信号Ｓrfc2の波形の一例を示す図である。
【図５】信号２値化回路２の内部構成を示す図である。
【図６】（Ａ）は、図４（Ａ）に示すものとは別の実施形態を示すものである。（Ａ）に示すプッシュプル回路１内の第１の読み取り信号Ｓrf1、第２の読み取り信号Ｓrf2、第１の補正信号Ｓrfc1、第２の補正信号Ｓrfc2の波形の一例を示す図である。
【図７】従来のプリピット検出装置におけるプッシュプル回路の内部構成例を示す。
【符号の説明】
１、１ａ…プッシュプル回路
２…信号２値化回路
３…デコーダ
４…ＣＰＵ
１０、１１、２１…ＶＣＡ
１２、１３…Ｐ／Ｈ部
１４、１５、２３…減算器
１５、１６…コンデンサ
２０…アンプ
２２…振幅検出部
２４…コンパレータ
２５…スライスレベル設定回路
５０…ＤＶＤ−Ｒ
５１…ピックアップ
５２…プリピット検出装置
【図１】
0004357750.tif 000002
【図２】
0004357750.tif 000003
【図３】
0004357750.tif 000004
【図４】
0004357750.tif 000005
【図５】
0004357750.tif 000006
【図６】
0004357750.tif 000007
【図７】
0004357750.tif 000008